(57)【特許請求の範囲】
【請求項１】
撮像装置の光路に配設されるアクセサリーであって、撮像対象物の入射光路に対して出入自在なミラーを備え、撮像対象物の半分を倒立画像として撮像装置の結像部に結像させ、また撮像対象物からの入射光の前記半分をこのミラーで反射させて撮像装置の結像部に正立画像として入射させ、また撮像対象物からの入射光の他の半分はこのミラーで遮断することにより、結像部に前記倒立画像と前記正立画像から成る対称画像を結像させることを特徴とする撮像装置のアクセサリー。
【請求項２】
撮像装置の光路にアクセサリーを設けて成り、このアクセサリーが撮像対象物の入射光路に対して出入自在なミラーを備え、撮像対象物の半分を倒立画像として撮像装置の結像部に結像させ、また撮像対象物からの入射光の前記半分をこのミラーで反射させて撮像装置の結像部に正立画像として入射させ、また撮像対象物からの入射光の他の半分はこのミラーで遮断することにより、結像部に前記倒立画像と前記正立画像から成る対称画像を結像させることを特徴とする撮像装置。
【発明の詳細な説明】
【０００１】
【発明の属する技術分野】
本発明は、カメラやビデオカメラなどの撮像装置のアクセサリーおよび撮像装置に関するものである。
【０００２】
【従来の技術】
カメラやビデオカメラなどの撮像装置は、人物や景色などの撮像対象物をフィルムなどの結像部に結像させるものである。この種撮像装置のアクセサリーとして様々なものが提案実施されており、趣向に応じた撮像効果をあげるようになっている。
【０００３】
【発明が解決しようとする課題】
本発明は、更に面白い撮像効果が得られる撮像装置のアクセサリーおよび撮像装置を提供することを目的とする。
【０００４】
【課題を解決するための手段】
本発明は、撮像装置の光路に配設されるアクセサリーであって、撮像対象物の入射光路に対して出入自在なミラーを備え、撮像対象物の半分を倒立画像として撮像装置の結像部に結像させ、また撮像対象物からの入射光の前記半分をこのミラーで反射させて撮像装置の結像部に正立画像として入射させ、また撮像対象物からの入射光の他の半分はこのミラーで遮断することにより、結像部に前記倒立画像と前記正立画像から成る対称画像を結像させるものである。
【０００５】
また本発明は、撮像装置の光路にアクセサリーを設けて成り、このアクセサリーが撮像対象物の入射光路に対して出入自在なミラーを備え、撮像対象物の半分を倒立画像として撮像装置の結像部に結像させ、また撮像対象物からの入射光の前記半分をこのミラーで反射させて撮像装置の結像部に正立画像として入射させ、また撮像対象物からの入射光の他の半分はこのミラーで遮断することにより、結像部に前記倒立画像と前記正立画像から成る対称画像を結像させる。
【０００６】
【作用】
上記構成の各発明によれば、撮像対象物の対称画像を結像できるので、面白い撮像効果をあげることができる。
【０００７】
【発明の実施の形態】
以下、本発明の実施の形態を図面を参照して説明する。図１はカメラとアクセサリーの分離状態の斜視図、図２はアクセサリーの断面図、図３は撮像中のカメラとアクセサリーの簡略断面図、図４（ａ），（ｂ）および図５（ａ），（ｂ）は写真の正面図である。
【０００８】
図１において、１はカメラである。このカメラ１は公知のものであって、本体２、レンズ部３、ファインダー部４、シャッターボタン５などを有している。
【０００９】
１０はアクセサリーであって、円筒形のケース１１の内部にミラー１２を配設して成る。図２において、ミラー１２の後端部はヒンジ１３に回転自在に装着されている。ミラー１２の背面には偏心カム１４が配設されており、ミラー１２はスプリング１５により偏心カム１４の周面に弾接している。図１に示すつまみ１６を回転操作すると偏心カム１４は回転し、ミラー１２はヒンジ部１３を中心に矢印ａ方向に回転してその角度を調整することができる。後述するように、ミラー１２を回転させて撮像対象物の入射光路に出入させ、対称画像を撮像する。８はレンズ部３の先端面に形成された係止孔であり、アクセサリー１０はこの係止孔８に着脱自在に装着される。
【００１０】
図３はこのアクセサリー１０を用いた対称画像の結像原理を示すものである。６は本体２の内部背面に位置する結像部としてのフィルム、７はレンズ部３のレンズ、Ａは撮像対象物である。
【００１１】
図３において、撮像対象物Ａの頂点イから発した光Ｌ１はレンズ７の光心を通り、光Ｌ１’としてフィルム６に入射し、頂点イ’として結像する。また撮像対象物Ａの中点ロから発した光Ｌ０はレンズ７の光心を通り、光Ｌ０’としてフィルム６に入射し、中点ロ’として結像する。したがって撮像対象物Ａの上半分（イ〜ロ）は、倒立画像としてフィルム６の下半分に結像する。
【００１２】
また頂点イから発してミラー１２に入射した光Ｌ２は、反射光Ｌ２’としてフィルム６に入射し、頂点イ”として結像する。また撮像対象物Ａの中点ロから発した光Ｌ０はレンズ７の光心を通り、光Ｌ０’としてフィルム６に入射し、中点ロ’として結像する。したがって撮像対象物Ａの上半分（イ〜ロ）は正立画像としてフィルム６の上半分に結像する。一方、撮像対象物Ａの他の半分である下半分（ロ〜ハ）から発した光はミラー１２で遮断され、フィルム６には入射しない。図３では、撮像対象物Ａの下点ハから発した光Ｌ３はミラー１２に遮断されることを示している。
【００１３】
以上のように、撮像対象物Ａの上半分（イ〜ロ）は前記倒立画像と前記正立画像から成る上下対称画像としてフィルム６に結像するが、下半分はミラー１２に遮断されてフィルム６に結像しないこととなる。
【００１４】
図４（ａ）は、アクセサリー１０を用いずに、カメラ１で山を撮影した写真を示している。また図４（ｂ）は、アクセサリー１０を用いてカメラ１で同じ山を撮影した写真を示している。図４（ａ）では山は空を背景にその全景が撮影されている。これに対し図４（ｂ）では、上半分が上下対称画像として撮影されている。ここで、上下反転した下半分の空を看者は水面と錯誤する。したがってこの写真は、あたかも水面に映る山を撮影したかのような撮像効果をあげる。
【００１５】
図５は他の撮像例を示している。図５（ａ）はアクセサリー１０を用いずにカメラ１で１軒の家を撮影したものである。また図５（ｂ）は、図４（ｂ）の場合からアクセサリー１０を軸心を中心に９０°回転させ、ミラー１２を横向きにして同じ家を撮影したものである。この場合、図３とまったく同じ原理により、左右対称画像が撮像される。
【００１６】
図６は、本発明の他の実施の形態のアクセサリーの正断面図である。このアクセサリー１０’は、上記ミラー１２の他に、左右２個のミラー１２ａ，１２ｂをミラー１２と同様に回転自在に配設している。したがって何れか一方のミラー１２ａまたはミラー１２ｂを光路に進出させ、他の２枚のミラー１２およびミラー１２ａまたはミラー１２ｂを光路から退去させれば、図５（ｂ）に示す写真を撮像できる。
【００１７】
上記実施の形態では、アクセサリー１０，１０’はカメラ１と別体にしているが、カメラ１と一体にしてもよいものである。またこのアクセサリーは、ビデオカメラなどの他の撮像装置にも適用できるものである。
【００１８】
【発明の効果】
本発明によれば、撮像対象物の対称画像を結像できるので、面白い撮像効果をあげることができる。
【図面の簡単な説明】
【図１】カメラとアクセサリーの分離状態の斜視図
【図２】アクセサリーの断面図
【図３】撮像中のカメラとアクセサリーの簡略断面図
【図４】（ａ）写真の正面図
（ｂ）写真の正面図
【図５】（ａ）写真の正面図
（ｂ）写真の正面図
【図６】アクセサリーの正断面図
【符号の説明】
１  カメラ
２  本体
３  レンズ部
６  フィルム
７  レンズ
１０，１０’  アクセサリー
１１  ケース
１２，１２ａ，１２ｂ  ミラー
１６  つまみ
【図１】
0004038854.tif 000002
【図２】
0004038854.tif 000003
【図３】
0004038854.tif 000004
【図４】
0004038854.tif 000005
【図５】
0004038854.tif 000006
【図６】
0004038854.tif 000007